(57)【特許請求の範囲】
【請求項１】
電子機器に装備される吊金具であって、
前記電子機器の本体部の内部部品に対して固定される固定部と、前記固定部と一体形成され、前記本体部の外観部を構成する外装部材に設けられた開口部を通して前記電子機器の本体部の内部から外部に向かって突出する突出部とを有し、前記突出部の第１の面に第１の突起部が形成され、前記第１の面の裏面となる前記突出部の第２の面に第２の突起部が形成された吊金具本体と、
前記突出部に挿通され、前記第１の突起部及び前記第２の突起部と前記外装部材に設けられた開口部との間に配置されて前記開口部を密封する密封部材と、
前記突出部に挿通され、前記第１の突起部及び前記第２の突起部と前記密封部材との間に配置される保持部材と、を備え、
前記第１の突起部及び前記第２の突起部は、前記固定部が前記本体部に固定された状態において前記外装部材の内側に位置し、前記保持部材を介して前記密封部材を前記外装部材に対して押圧することを特徴とする吊金具。
【請求項２】
前記第１の突起部及び前記第２の突起部はそれぞれ、一列に並んで形成されるとともに、前記第１の面と直交する方向から見たときに、前記第１の突起部と前記第２の突起部とが交互に形成されていることを特徴とする請求項１記載の吊金具。
【請求項３】
前記第１の突起部及び前記第２の突起部はそれぞれ、所定の間隔で複数形成され、複数の前記第１の突起部及び前記第２の突起部はそれぞれ、前記複数の第１の突起部が形成される間隔と前記複数の第２の突起部が形成される間隔とが略等しくなるように形成されていることを特徴とする請求項１又は２記載の吊金具。
【請求項４】
吊金具と、本体部の外観部を構成する外装部材を備える電子機器であって、
前記外装部材は、前記本体部の内部から外部に向かって前記吊金具を突出させる開口部を有し、
前記吊金具は、
前記本体部の内部部品に対して固定される固定部と、前記固定部と一体形成され、前記外装部材に設けられた前記開口部を通して前記本体部の内部から外部に向かって突出する突出部とを有し、前記突出部の第１の面に第１の突起部が形成され、前記第１の面の裏面となる前記突出部の第２の面に第２の突起部が形成された吊金具本体と、
前記突出部に挿通され、前記第１の突起部及び前記第２の突起部と前記外装部材に設けられた開口部との間に配置されて前記開口部を密封する密封部材と、
前記突出部に挿通され、前記第１の突起部及び前記第２の突起部と前記密封部材との間に配置される保持部材と、を備え、
前記第１の突起部及び前記第２の突起部は、前記固定部が前記本体部に固定された状態において前記外装部材の内側に位置し、前記保持部材を介して前記密封部材を前記外装部材に対して押圧することを特徴とする電子機器。
【請求項５】
前記第１の突起部及び前記第２の突起部はそれぞれ、一列に並んで形成されるとともに、前記第１の面と直交する方向から見たときに、前記第１の突起部と前記第２の突起部とが交互に形成されていることを特徴とする請求項４記載の電子機器。
【請求項６】
前記第１の突起部及び前記第２の突起部はそれぞれ、所定の間隔で複数形成され、複数の前記第１の突起部及び前記第２の突起部はそれぞれ、前記複数の第１の突起部が形成される間隔と前記複数の第２の突起部が形成される間隔とが略等しくなるように形成されていることを特徴とする請求項４又は５記載の電子機器。
【請求項７】
前記外装部材において前記密封部材と当接する面は、前記密封部材を前記吊金具の前記突出部に密着させるように押圧する傾斜面であることを特徴とする請求項４乃至６のいずれか１項に記載の電子機器。
【発明の詳細な説明】
【技術分野】
【０００１】
本発明は、撮像装置等の電子機器に装備される吊金具と、この吊金具を備える電子機器に関する。
【背景技術】
【０００２】
従来から、デジタルスチルカメラ等の撮像装置には、カメラ筐体（撮像装置本体）に保持用ベルトを掛けるための吊金具が設けられている。
【０００３】
図６は従来の吊金具の構造及び吊金具のカメラ筐体への取付構造を示す図である。この取付構造では、カメラ筐体１１に吊金具１４を固定するために、カメラ筐体１１には、パーティングライン面に開口する２つのねじ孔１２と、２つのねじ孔１２の開口方向と同一の方向に突出する位置決め用の突子１３が形成されている。
【０００４】
吊金具１４は、例えば、板金からなり、ここでは、ストラップを掛けるためのストラップ金具である。吊金具１４は、２つのねじ孔１２に対応するねじ挿通孔１５と、突子１３と嵌合される位置決め孔１６と、ストラップベルト（不図示）を連結してなる三角金具１７を取り付けるための穴部１９とを有している。吊金具１４は、突子１３と位置決め孔１６とを嵌合させ、ねじ１８をねじ挿通孔１５に挿通させと共にねじ孔１２に螺合させることによって、カメラ筐体１１に固定される。
【０００５】
また、図７は従来の別の吊金具の構造及び吊金具のカメラ筐体への取付構造を示す図である。この取付構造では、カメラ筐体３２に丸形の取付孔３４が形成され、吊金具であるストラップ金具３８が有している丸棒軸４０を回転自在に取付孔３４に嵌挿させている。そして、ストラップ金具３８の内側挿通端部を係止する略Ｌ字状のホルダー４５を、カメラ筐体３２内でシール部材５２を介してねじ止めしている（特許文献１参照）。
【先行技術文献】
【特許文献】
【０００６】
【特許文献１】特開平５−２６９０１５号公報
【発明の概要】
【発明が解決しようとする課題】
【０００７】
しかし、図６の取付構造では、吊金具１４（ストラップ金具）とカメラ筐体１１との間に形成される空隙が大きく、防水・防塵上の信頼性が低いという問題がある。また、図７の取付構造では、略Ｌ字状のホルダー４５とカメラ筐体３２とのクリアランスが、シール部材５２を密着させる程度に近くなければならない。そのため、略Ｌ字状のホルダー４５の取付位置やストラップ金具３８の形状が限定的になってしまい、密封構造の自由度に欠けるという問題がある。
【０００８】
本発明は、構造的な自由度を確保しながら、防水・防塵上の信頼性を向上させた吊金具と、この吊金具を装備した電子機器を提供することを目的とする。
【課題を解決するための手段】
【０００９】
本発明に係る吊金具は、電子機器に装備される吊金具であって、前記電子機器の本体部の内部部品に対して固定される固定部と、前記固定部と一体形成され、前記本体部の外観部を構成する外装部材に設けられた開口部を通して前記電子機器の本体部の内部から外部に向かって突出する突出部とを有し、前記突出部の第１の面に第１の突起部が形成され、前記第１の面の裏面となる前記突出部の第２の面に第２の突起部が形成された吊金具本体と、前記突出部に挿通され、前記第１の突起部及び前記第２の突起部と前記外装部材に設けられた開口部との間に配置されて前記開口部を密封する密封部材と、前記突出部に挿通され、前記第１の突起部及び前記第２の突起部と前記密封部材との間に配置される保持部材と、を備え、前記第１の突起部及び前記第２の突起部は、前記固定部が前記本体部に固定された状態において前記外装部材の内側に位置し、前記保持部材を介して前記密封部材を前記外装部材に対して押圧することを特徴とする。
【００１０】
本発明に係る電子機器は、吊金具と、本体部の外観部を構成する外装部材を備える電子機器であって、前記外装部材は、前記本体部の内部から外部に向かって前記吊金具を突出させる開口部を有し、前記吊金具は、前記本体部の内部部品に対して固定される固定部と、前記固定部と一体形成され、前記外装部材に設けられた前記開口部を通して前記本体部の内部から外部に向かって突出する突出部とを有し、前記突出部の第１の面に第１の突起部が形成され、前記第１の面の裏面となる前記突出部の第２の面に第２の突起部が形成された吊金具本体と、前記突出部に挿通され、前記第１の突起部及び前記第２の突起部と前記外装部材に設けられた開口部との間に配置されて前記開口部を密封する密封部材と、前記突出部に挿通され、前記第１の突起部及び前記第２の突起部と前記密封部材との間に配置される保持部材と、を備え、前記第１の突起部及び前記第２の突起部は、前記固定部が前記本体部に固定された状態において前記外装部材の内側に位置し、前記保持部材を介して前記密封部材を前記外装部材に対して押圧することを特徴とする。
【発明の効果】
【００１１】
本発明によれば、構造的な自由度を確保しながら、防水・防塵上の信頼性を向上させることができる。
【図面の簡単な説明】
【００１２】
【図１】本発明の実施形態に係る吊金具を備えた撮像装置の本体部の外観構造を示す斜視図である。
【図２】本発明の実施形態に係る吊金具の外観斜視図である。
【図３】図２に示す吊金具の側面図である。
【図４】図２に示す吊金具が撮像装置に取り付けられた状態を破断して示す断面図である。
【図５】図２に示す吊金具が撮像装置の本体部を構成する外装部材に対して組み付けられた構造を示す分解斜視図である。
【図６】従来の吊金具の構造及び吊金具のカメラ筐体への取付構造を示す図である。
【図７】従来の別の吊金具の構造及び吊金具のカメラ筐体への取付構造を示す図である。
【発明を実施するための形態】
【００１３】
以下、本発明の実施の形態について添付図面を参照して詳細に説明する。ここでは、電子機器として撮像装置を取り上げることとし、更に、撮像装置の一例であるデジタルビデオカメラを取り上げることとする。但し、本発明はこのような撮像装置に限定されるものではなく、例えば、ストラップ等を取り付ける吊金具が装備される携帯／携行型の電子機器に広く適用することができる。
【００１４】
＜撮像装置の本体部の外観構造＞
図１は本発明の実施形態に係る吊金具を備えた撮像装置の本体部の外観構造を示す斜視図である。撮像装置（デジタルビデオカメラ）の本体部１０１の外観部は、互いに嵌合した複数の外装部材によって構成されており、その内部に不図示の撮像素子や制御基板やフレキシブル基板等の内部部品（構成部品）が収納されている。本体部１０１の左右それぞれに、撮影者が撮像装置の運搬時に使用するためにショルダストラップ等を挿通して使用する一対の吊金具が装備されている。一対の吊金具はそれぞれ、板状の吊金具本体１０２ａ，１０２ｂと、吊金具本体１０２ａ，１０２ｂのそれぞれに対して配置される密封部材４０１及び保持部材４０２（図３乃至５参照）によって構成される。
【００１５】
＜吊金具の構造＞
吊金具本体１０２ａ，１０２ｂは、本体部１０１の外装表面から突出していなければならない。そのため、吊金具本体１０２ａ，１０２ｂが表出する位置に配置されている外装部材１０３ａ，１０３ｂのそれぞれに、吊金具本体１０２ａ，１０２ｂを挿通させるための開口部１０４ａ，１０４ｂが形成されている。
【００１６】
図２は吊金具本体１０２ａの外観斜視図であり、図３は吊金具本体１０２ａの側面図である。なお、吊金具本体１０２ｂは吊金具本体１０２ａと同様の構造を有している。
【００１７】
吊金具本体１０２ａは、板金部材をプレス加工することによって一体的に形成された板状の固定部２０１と突出部２０２とを有しており、固定部２０１と突出部２０２とは略直交している。固定部２０１は本体部１０１の内部構成部材に固定される。吊金具本体１０２ａが撮像装置に装着された状態において、突出部２０２は、外装部材１０３ａの開口部１０４ａを通して本体部１０１の内部から外部に向かって突出する。
【００１８】
また、固定部２０１には、固定部２０１を本体部１０１に固定するために、本体部１０１の内部部品（不図示）に対して位置決めするための位置決め孔２０３と、内部部品に固定するための締結孔２０４とが形成されている。更に、突出部２０２には、ショルダストラップを挿通させるための角丸長方形状の挿通孔２０５が形成されている。また、突出部２０２の第１の面における挿通孔２０５近傍には、突出部２０２の厚さ方向に突出した第１の突起部２０６ａが半抜き加工によって形成されている。突出部２０２の第１の面の裏面となる第２の面における挿通孔２０５近傍には、突出部２０２の厚さ方向に突出した第２の突起部２０６ｂが半抜き加工によって形成されている。第１の突起部２０６ａ及び第２の突起部２０６ｂは、後述するように、吊金具本体１０２ａが撮像装置に装着された状態において、外装部材１０３ａの内側に位置するように形成される。
【００１９】
図２に示すように、３つの第１の突起部２０６ａは、挿通孔２０５の長辺方向に沿って一列に並ぶように形成されており、３つの第２の突起部２０６ｂも、挿通孔２０５の長辺方向に沿って一列に並ぶように形成されている。第１の突起部２０６ａ及び第２の突起部２０６ｂは、挿通孔２０５の長辺方向に交互に形成されている。挿通孔２０５の長辺方向における２つの第１の突起部２０６ａの間隔と、挿通孔２０５の長辺方向における２つの第２の突起部２０６ｂの間隔とが略等しくなるように、第１の突起部２０６ａ及び第２の突起部２０６ｂは形成されている。
【００２０】
図３に示すように、第１の突起部２０６ａは、挿通孔２０５の下面（挿通孔下面３０１）と第１の突起部２０６ａにおいて挿通孔２０５に近い側の面（保持面３０２）との距離が一定となる位置に形成される。第２の突起部２０６ｂは、挿通孔２０５の下面（挿通孔下面３０１）と第２の突起部２０６ｂについても、挿通孔２０５に近い側の面（保持面３０２）との距離が一定となる位置に形成される。
【００２１】
＜吊金具の周辺構造＞
次に、図４を参照して、吊金具本体１０２ａの周辺構造について説明する。図４は吊金具本体１０２ａが撮像装置に取り付けられた状態を破断して示す断面図である。なお、吊金具本体１０２ｂについても、吊金具本体１０２ａと同様の構造で撮像装置に取り付けられる。
【００２２】
吊金具本体１０２ａと外装部材１０３ａとの間には、密封部材４０１と保持部材４０２とが配置されている。密封部材４０１は、吊金具本体１０２ａと外装部材１０３ａとのクリアランスを封止するためのシール部材であり、弾性材料からなる。密封部材４０１は、例えば、樹脂製のＯリングが使用される。
【００２３】
密封部材４０１としては、その内径が吊金具本体１０２ａにおいて密封部材４０１が配置される取付部分の全周長さよりも短いものを使用する。これにより、吊金具本体１０２ａと密封部材４０１との間に隙間が生じることが防止され、密封性を向上させることができる。なお、密封部材４０１は、クリアランスを封止する機能を発揮させることができればよく、Ｏリングに限定されるものではない。
【００２４】
保持部材４０２は、吊金具本体１０２ａの保持面３０２に配置される部品であり、密封部材４０１の片面を受けるために設置されている。外装部材１０３ａにおいて密封部材４０１と接する部分には、傾斜面４０３が設けられている。この傾斜面４０３は、後述するように、密封部材４０１を吊金具本体１０２ａ及び保持部材４０２に対して押圧し、密封性を向上させる。
【００２５】
＜吊金具の本体部への組付手順＞
図４及び図５を参照して、吊金具本体１０２ａの本体部１０１（外装部材１０３ａ）への組付手順について説明する。図５は、吊金具本体１０２ａが外装部材１０３ａに対して組み付けられた構造を示す分解斜視図である。吊金具本体１０２ｂについても、吊金具本体１０２ａと同様の組付手順で外装部材１０３ｂに対して組み付けられる。
【００２６】
先ず、撮像装置の本体部１０１の内部部品（不図示）に設けられた位置決め凸部に対して吊金具本体１０２ａに形成された位置決め孔２０３が嵌合するように、吊金具本体１０２ａを位置決めする。次いで、締結孔２０４にビスを挿通し、締結することにより、本体部１０１に対して吊金具本体１０２ａを固定する。
【００２７】
続いて、保持部材４０２を、吊金具本体１０２ａの突出部２０２に挿通させ、保持面３０２に突き当たる位置に配置する。このとき、挿通孔下面３０１と保持面３０２との距離（図３参照）を全て同一としているため、ショルダストラップによって吊金具本体１０２ａが引っ張られた場合でも、保持部材４０２に加わる荷重を安定させることができる。
【００２８】
次に、密封部材４０１を、保持部材４０２に突き当たるように、吊金具本体１０２ａの突出部２０２に挿通させ、配置する。最後に、外装部材１０３ａの開口部１０４ａから吊金具本体１０２ａの突出部２０２が突出するように、外装部材１０３ａを組み付ける。このとき、外装部材１０３ａと突起部２０６とが、密封部材４０１を突出部２０２に密着させるために密封部材４０１を所定のチャージ量で押圧するように、保持面３０２の位置（つまり、第１の突起部２０６ａ及び第２の突起部２０６ｂの位置）が設定されている。また、外装部材１０３ａが密封部材４０１を押圧する当接面は、密封部材４０１を吊金具本体１０２ａに押し付けるような傾斜面４０３となっている。よって、密封部材４０１による密封性が向上している。
【００２９】
以上の説明の通り、本実施形態によれば、吊金具本体１０２ａの取付位置から外装部材１０３ａの開口部１０４ａとの距離が離れてしまっている場合でも、密封部材４０１を開口部１０４ａの近傍に配置することができる。これは、吊金具本体１０２ａにおける突出部２０２の形状と、突出部２０２に形成する第１の突起部２０６ａ及び第２の突起部２０６ｂの位置を調節することによって密封部材４０１を配置する位置を容易に調整することができるからである。すなわち、本実施形態によれば、吊金具本体１０２ａの取付位置に制限されることなく、吊金具本体１０２ａの形状や取付構造に対する設計の自由度を確保しながら、防水・防塵上の信頼性を向上させることが可能になる。
【００３０】
＜その他の実施形態＞
以上、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００３１】
例えば、第１の突起部２０６ａ及び第２の突起部２０６ｂをそれぞれ、連続的な形状に変形した突起部、すなわち、棒状の突起部を半抜き加工によって形成してもよい。また、吊金具本体１０２ａに棒状の突起部を形成する一方で、突起部を形成できない部分は、本体部１０１の内部構成部材で構成するか或いは別部材で構成することで、保持部材４０２を配置する必要がなくなる。
【符号の説明】
【００３２】
１０２ａ，１０２ｂ    吊金具本体
１０３ａ，１０３ｂ    外装部材
１０４ａ，１０４ｂ    開口部
２０５    挿通孔
２０６    突起部
４０１    密封部材
４０２  保持部材
４０３  傾斜面
【図１】
0005936329.tif 000002
【図２】
0005936329.tif 000003
【図３】
0005936329.tif 000004
【図４】
0005936329.tif 000005
【図５】
0005936329.tif 000006
【図６】
0005936329.tif 000007
【図７】
0005936329.tif 000008